(57)【要約】【課題】  顧客等による出力態様の変更を可能としつつも、出力態様が変更された状態で放置されることを防止する情報出力装置、表示装置、及び情報出力方法を提供する。【解決手段】  現在の画質調整パラメータが、ダイナミックモードの画質調整パラメータから他のパラメータに変更されたか否かを検出し、変更されたことを検知した場合、変更後の画質調整パラメータをダイナミックモードの画質調整パラメータに戻して画像を出力させる。【選択図】  図１
2006238255.tif 000002
【特許請求の範囲】
【請求項１】
情報の出力態様を設定するための設定情報に基づいて当該情報を出力する情報出力装置において、
前記設定情報が、予め設定された特定の前記出力態様で前記情報を出力するための前記設定情報である特定設定情報から、他の前記出力態様で前記情報を出力するための他の前記設定情報に変更されたか否かを検知する変更検知手段と、
前記設定情報が前記特定設定情報から前記他の設定情報に変更されたことが検知された場合、当該変更後の設定情報を元の前記特定設定情報に戻して前記情報を出力させる復帰手段と、
を備えることを特徴とする情報出力装置。
【請求項２】
請求項１に記載の情報出力装置において、
前記復帰手段は、前記設定情報が前記特定設定情報から前記他の設定情報に変更されたことが検知された時から、一定時間経過後に当該変更後の設定情報を元の前記特定設定情報に戻して前記情報を出力させることを特徴とする情報出力装置。
【請求項３】
請求項１又は請求項２に記載の情報出力装置において、
前記変更後の設定情報を元の前記特定設定情報に戻して前記情報を出力させるか否かの判断に用いられる動作モードを識別する動作モード識別手段と、
前記動作モード識別手段により識別された前記動作モードに基づいて、前記変更後の設定情報を前記復帰手段により元の前記特定設定情報に戻して前記情報を出力させるか否かを判断する復帰制御手段と、
を更に備えることを特徴とする情報出力装置。
【請求項４】
請求項３に記載の情報出力装置において、
前記動作モード識別手段は、前記動作モードの識別に用いられる情報が記録されている記録媒体の当該情報を認識し、当該認識した情報に基づいて、前記動作モードを識別することを特徴とする情報出力装置。
【請求項５】
請求項４に記載の情報出力装置において、
前記記録媒体は、デジタル放送信号を受信する受信装置により当該デジタル放送信号の受信制限を解除するために用いられる情報が記録されている受信制限解除用記録媒体であり、
前記動作モード識別手段は、前記受信制限解除用記録媒体に記録されている識別番号を認識し、当該認識した識別番号に基づいて、前記動作モードを識別することを特徴とする情報出力装置。
【請求項６】
請求項５に記載の情報出力装置において、
前記受信制限解除用記録媒体はＢ−ＣＡＳカードであることを特徴とする情報出力装置。
【請求項７】
請求項１乃至６の何れか一項に記載の情報出力装置を出力手段として備え、
前記出力手段は画像情報を出力し、
更に、前記出力された画像情報を表示する表示手段を備えることを特徴とする表示装置。
【請求項８】
請求項７に記載の表示装置において、
前記出力態様は、前記出力手段が出力する画像情報の画質であり、
前記出力手段は、前記画像情報の画質を示す画質モードに対応する前記設定情報に基づいて当該画像情報を出力し、
前記変更検知手段は、前記設定情報が、予め設定された特定の前記画質モードに対応する前記設定情報である特定設定情報から、他の前記画質モードに対応する他の前記設定情報に変更されたか否かを検知し、
前記復帰手段は、前記設定情報が前記特定設定情報から前記他の設定情報に変更されたことが検知された場合、当該変更後の設定情報を元の前記特定設定情報に戻して前記出力手段により前記特定の画質モードが示す画質で前記画像情報を出力させ、更に前記表示手段により当該画像情報を表示させることを特徴とする表示装置。
【請求項９】
情報の出力態様を設定するための設定情報に基づいて当該情報を出力する情報出力方法において、
前記設定情報が、予め設定された特定の前記出力態様で前記情報を出力するための前記設定情報である特定設定情報から、他の前記出力態様で前記情報を出力するための他の前記設定情報に変更されたか否かを検知する変更検知工程と、
前記設定情報が前記特定設定情報から前記他の設定情報に変更されたことが検知された場合、当該変更後の設定情報を元の前記特定設定情報に戻して前記情報を出力させる復帰工程と、
を備えることを特徴とする情報出力方法。
【発明の詳細な説明】
【技術分野】
【０００１】
本願は、情報出力装置が出力する画質、音質等の出力態様の改変防止等の技術分野に関する。
【背景技術】
【０００２】
従来、ディスプレイ装置等の表示装置に代表される情報出力装置は、操作パネルやリモコン等を所有者が操作することにより、出力される画像や音声等の情報の出力態様を変更し、所有者の好みに設定することができるようになっている。
【０００３】
ここで、出力態様とは、例えば、画像のコントラスト、明るさ、色の濃さ等、出力される音声の音量、音質、ステレオ／モノラル、左右バランス等、その他出力されるチャンネルや放送局、演奏順序等、所有者等によって変更可能とされる各種の状態により定められ、情報出力装置により出力される情報の質、内容等をいう。
【０００４】
また、特許文献１に開示された映像信号処理装置においては、コントラスト情報がＤ／Ａ（デジタル／アナログ）変換、Ａ／Ｄ（アナログ／デジタル）変換されないような構成とし、ダイナミックγ処理回路が直接コントラスト情報を用いて処理することにより、Ｓ／Ｎ比を改善し、ガンマ補正を正確にすることを実現している。
【０００５】
このような技術を背景として、情報出力装置の画質、音質等の出力品質は飛躍的に改良されてきており、それに伴い、設定変更可能となる出力態様の範囲も広範になってきている。
【特許文献１】特開平８−１９０３６３号公報
【発明の開示】
【発明が解決しようとする課題】
【０００６】
ところで、販売店や展示会場等において、情報出力装置を展示するような場合には、販売促進等の観点から、展示品を目立たせたり、特徴を強調する等の理由により、画像のコントラストを極端に高くしたり明るくする等、派手目の出力態様に設定する場合がある。
【０００７】
しかしながら、従来の情報出力装置は、出力態様を自由に変更することができるため、例えば、顧客や見学者等が展示された当該装置の出力態様を変更し、その変更された状態が放置された場合には、販売促進等の観点からは好ましくない状態になるという問題があった。その一方、顧客や見学者等は、当該装置の性能等を確認するために、出力態様を変更するという事情もあるため、出力態様の変更を一律に禁止することは、販売促進等の観点から妥当ではない。
【０００８】
そこで、本願は上記の問題点に鑑みて為されたもので、その課題としては、顧客等による出力態様の変更を可能としつつも、出力態様が変更された状態で放置されることを防止する情報出力装置及び表示装置を提供することが、その一例として挙げられる。
【課題を解決するための手段】
【０００９】
上記の課題を解決するために、請求項１に記載の発明は、情報の出力態様を設定するための設定情報に基づいて当該情報を出力する情報出力装置において、前記設定情報が、予め設定された特定の前記出力態様で前記情報を出力するための前記設定情報である特定設定情報から、他の前記出力態様で前記情報を出力するための他の前記設定情報に変更されたか否かを検知する変更検知手段と、前記設定情報が前記特定設定情報から前記他の設定情報に変更されたことが検知された場合、当該変更後の設定情報を元の前記特定設定情報に戻して前記情報を出力させる復帰手段と、を備えることを特徴とする。
【００１０】
上記の課題を解決するために、請求項７に記載の発明は、請求項１乃至６の何れか一項に記載の情報出力装置を出力手段として備え、前記出力手段は画像情報を出力し、更に、前記出力された画像情報を表示する表示手段を備えることを特徴とする。
【００１１】
上記の課題を解決するために、請求項９に記載の発明は、情報の出力態様を設定するための設定情報に基づいて当該情報を出力する情報出力方法において、前記設定情報が、予め設定された特定の前記出力態様で前記情報を出力するための前記設定情報である特定設定情報から、他の前記出力態様で前記情報を出力するための他の前記設定情報に変更されたか否かを検知する変更検知工程と、前記設定情報が前記特定設定情報から前記他の設定情報に変更されたことが検知された場合、当該変更後の設定情報を元の前記特定設定情報に戻して前記情報を出力させる復帰工程と、を備えることを特徴とする。
【発明を実施するための最良の形態】
【００１２】
次に、本願を実施するための最良の形態について、図面に基づいて説明する。なお、以下に説明する実施形態は、デジタルチューナー内蔵プラズマディスプレイテレビに対して本願を適用した場合の実施の形態である。
【００１３】
なお、図１は本実施形態に係るデジタルチューナー内蔵プラズマディスプレイテレビの概要構成の一例を示すブロック図である。
【００１４】
図１に示すように、本実施形態に係るデジタルチューナー内蔵プラズマディスプレイテレビ（以下、単にプラズマディスプレイと称する。）は、本実施形態に係るプラズマディスプレイの各部を制御するマイクロコンピュータ１と、顧客等が操作パネルに配置されたボタン等を操作した内容をマイクロコンピュータ１に通知する操作部２と、本実施形態に係る特定設定情報を記憶するＥ２ＰＲＯＭ（E squared Programmable Read Only Memory）３と、本実施形態に係る動作モードと設定情報を記憶するフラッシュメモリ４と、受信した放送信号をコンポジット信号として出力するチューナー部５と、図示しないＡ／Ｄ（Analog/Digital）変換部によりアナログ信号からデジタル信号に変換されたコンポジット信号から輝度（Ｙ軸）と色信号（Ｃ）を分離するＹ／Ｃ分離部６と、色差信号Ｃｂ、Ｃｒを生成するクロマ復調部７と、当該コンポジット信号、及び図示しないＡ／Ｄ変換部によりアナログ信号からデジタル信号に変換されたコンポーネント信号の輝度信号Ｙおよび色差信号Ｃｂ、Ｃｒに基づいてＲＧＢ（Red Green Blue）信号を生成するマトリクス回路８と、マトリクス回路８から出力されたＲＧＢ信号を処理することにより画質調整を行う画質調整部９と、画質調整部９から出力された画像信号を入力し、所定の画像を表示出力するＰＤＰ（Plasma Display Panel）１０と、により構成されている。
【００１５】
なお、本実施形態に係るマイクロコンピュータ１、操作部２、Ｅ２ＰＲＯＭ３、フラッシュメモリ４、チューナー部５、Ｙ／Ｃ分離部６、クロマ復調部７、マトリクス回路８、及び画質調整部９は本願に係る出力手段を構成し、また、ＰＤＰ１０は表示手段を構成する。
【００１６】
本実施形態における出力態様は、ＰＤＰ１０が出力する画像の画質であり、輝度信号Ｙ出力レベル、色差信号Ｃｂ、Ｃｒ出力レベル、Ｒ、Ｇ、Ｂ出力レベル、ホワイトバランス等の画質調整パラメータを内容とする設定情報により定められる。
【００１７】
また、本実施形態における出力態様を示す画質モードとしては、ダイナミックモード、標準モード及びマニュアルモードの３種類が用意されている。ここで、ダイナミックモードとは、ＰＤＰ１０が出力する画像の明るさ、コントラスト、色の濃さ等のレベルを高くするために各画質調整パラメータが特定設定情報として予め設定された画質モードである。また、標準モードとは、画像の明るさ、コントラスト、色の濃さ等のレベルが中間ぐらいになるように各画質調整パラメータが特定設定情報として予め設定された画質モードである。そして、マニュアルモードとは、顧客等が操作部２を操作することにより、各画質調整パラメータを任意に変更することのできる画質モードである。
【００１８】
そして、本実施形態における動作モードとしては、復帰手段による設定情報の戻し動作を行う動作モードとしての店頭モードと、復帰手段による設定情報の戻し動作を行わない動作モードとしてのユーザーモードが用意されている。ここで、店頭モードとは、プラズマディスプレイを販売店等において展示することを想定した動作モードであり、予め設定された画質としてダイナミックモードに対応し、顧客等により画質が変更された場合には、１０分経過後にダイナミックモードの画質に復帰するようになっている。また、ユーザーモードとは、一般ユーザーがプラズマディスプレイを購入した後、自宅等で使用する際に、好みの画質に変更することを想定した動作モードであり、予め設定された画質として標準モードに対応する。
【００１９】
マイクロコンピュータ１は、ＣＰＵ（Central Processing Unit）、ＲＡＭ（Random Access Memory）、ＲＯＭ（Read Only Memory）等により構成されており、ＲＯＭに記憶されているプログラムをＣＰＵが読み出し実行することにより、本実施形態に係るプラズマディスプレイを制御するとともに、変更検知手段、復帰手段、動作モード識別手段及び復帰制御手段、として機能するようになっている。
【００２０】
操作部２は、顧客等が直接操作できる電源スイッチ、音量調整ボタン、チャンネル切替ボタン及び画質調整のための各種ボタン等の他、リモコンを顧客等が操作することにより、当該リモコンから送信される赤外線信号を受信する受光部を備え、顧客等による操作内容がマイクロコンピュータ１に通知される。
【００２１】
Ｅ２ＰＲＯＭ３は、ダイナミックモード及び標準モード夫々に対応する画質調整パラメータを記憶している。Ｅ２ＰＲＯＭ３は書き換え可能なＲＯＭであるため、例えば、画質に関する仕様が変更されたような場合には、製品出荷時に画質調整パラメータを書き換えるということも可能である。
【００２２】
フラッシュメモリ４は、マイクロコンピュータ１が識別した動作モード及び現在の出力画質を設定する画質調整パラメータを記憶しており、プラズマディスプレイの電源を切っても、これらの情報は消去されないようになっている。
【００２３】
マイクロコンピュータ１は、顧客等による操作部２の画質モード変更操作によりダイナミックモード又は標準モードが選択されると、Ｅ２ＰＲＯＭ３から選択された画質モードに対応する画質調整パラメータを読み込み、フラッシュメモリ４に記憶する。また、顧客等による操作部２の画質モード変更操作によりマニュアルモードが選択され画質調整パラメータが変更されると、マイクロコンピュータ１は、フラッシュメモリ４に記憶されている画質調整パラメータを書き換える。
【００２４】
そして、マイクロコンピュータ１は、フラッシュメモリ４が記憶している輝度信号出力レベル及び色差信号Ｃｂ、Ｃｒの出力レベルの調整パラメータをクロマ復調部７に、Ｒ、Ｇ、Ｂ出力レベルの調整パラメータをマトリクス回路８に、ホワイドバランスの調整パラメータを画質調整部９に夫々送出する。そして、クロマ復調部７、マトリクス回路８、画質調整部９は受け取った画質調整パラメータに従って夫々の処理を実行する。
【００２５】
チューナー部５は、顧客等による操作部２のチャンネル操作により選択された放送に対応した信号を図示しないテレビアンテナを通じて受信し、その放送信号に含まれる画像信号をコンポジット信号としてＹ／Ｃ分離部６に出力し、又はコンポーネント信号としてマトリクス回路８に出力する。
【００２６】
ただし、一部の放送信号はスクランブルがかけられており、Ｂ−ＣＡＳ（登録商標：BS Conditional Access Systems）カード１００をチューナー部５に装着すると、チューナー部５は当該カードに埋め込まれたＩＣチップに記録されている識別番号を読み出し、この識別番号に基づきスクランブルを解除して、適切な画像信号を出力することができるようになっている。
【００２７】
ここで、Ｂ−ＣＡＳカード（以降、適宜カードとも称する。）とは、地上デジタルテレビ放送、ＢＳデジタル放送、及びＣＳデジタル放送等の各種放送を受信するために必要なカードであり、株式会社ビーエス・コンディショナルアクセスシステムズにより発行、運用及び管理がなされている。
【００２８】
カード１００には、上述したように当該カードの所有者を識別するための識別番号が記録されたＩＣ（Integrated Circuit）チップが埋め込まれている。また、カード１００は、一般ユーザー用、製造メーカー用及び店舗用に区分され、当該カードに記録されている識別番号の番号帯によって識別できるようになっている。この識別番号は２０桁の数字からなり、その上位５桁目から８桁目までの４桁が所有者の区分を示している。この４桁の番号が１０００番台、２０００番台、及び３０００番台の場合は一般ユーザー用、００００番台の場合は製造メーカー用、４０００番台の場合は店舗用となっている。
【００２９】
そして、一般ユーザー用及び製造メーカー用カードはユーザーモードに、店舗用は店頭モードに夫々対応しており、カード１００をチューナー部５に装着すると、マイクロコンピュータ１は動作モード識別手段によりカード１００に記録されている識別番号を認識し、その認識した識別番号の番号帯に基づいて動作モードを識別する。なお、カード１００が装着されていない場合にはユーザーモードで動作する。
【００３０】
次に、本実施形態に係るプラズマディスプレイの動作について説明する。先ず、電源が投入されてから画質が変更されるまでの動作を図２を用いて説明する。なお、図２は、電源が投入されてから画質が変更されるまでにおける、マイクロコンピュータ１の処理の一例を示すフローチャートである。
【００３１】
顧客等による操作部２の電源スイッチ操作により電源投入された場合、マイクロコンピュータ１は図２に示すように、チューナー部５にカード１００が装着されているか否かを判定し（ステップＳ１）、カード１００が装着されていない場合（ステップＳ１：ＮＯ）、マイクロコンピュータ１は動作モードをユーザーモードと識別する（ステップＳ５）。
【００３２】
カード１００が装着されている場合（ステップＳ１：ＹＥＳ）、マイクロコンピュータ１はカード１００の識別番号を認識する（ステップＳ２）。ここで、認識した識別番号の番号帯が４０００番台であるか否かを判定し（ステップＳ３）、番号帯が４０００番台である場合、すなわちカード１００が店舗用である場合（ステップＳ３：ＹＥＳ）、マイクロコンピュータ１は動作モードを店頭モードと識別する（ステップＳ４）。番号帯が４０００番台以外である場合、すなわちカード１００が一般ユーザー用又は製造メーカー用である場合（ステップＳ３：ＮＯ）、マイクロコンピュータ１は動作モードをユーザーモードと識別する（ステップＳ５）。
【００３３】
そして、マイクロコンピュータ１は、識別した動作モードとフラッシュメモリ４に記憶されている動作モードとを比較し（ステップＳ６）、両者が同一の場合は（ステップＳ６：ＹＥＳ）ステップＳ８に移行し、両者が異なる場合には（ステップＳ６：ＮＯ）、識別した動作モードに対応した画質モードの画質調整パラメータをＥ２ＰＲＯＭ３から読み出し、フラッシュメモリ４に記憶されている画質調整パラメータを書き換え、フラッシュメモリ４に記憶されている動作モードを識別した動作モードに書き換える（ステップＳ７）。
【００３４】
そして、ステップ８において、マイクロコンピュータ１は、フラッシュメモリ４に記憶されている画質調整パラメータを読み出し、クロマ復調部７、マトリクス回路８及び画質調整部９に送出する。クロマ復調部７、マトリクス回路８及び画質調整部９は画質調整パラメータに従って夫々信号処理を行い、最終的に画質調整部９から出力された信号に従ってＰＤＰ１０が画像を表示出力する（ステップＳ９）。その後、マイクロコンピュータ１は、操作部２から操作内容の受信待ちを行う（ステップＳ１０）。
【００３５】
このように、識別した動作モードが前回の電源投入時に識別したものと異なる場合には、今回識別した動作モードに対応した画質で画像を出力する。このようにすることで、例えば、一般の顧客等が店頭展示品を購入し、それを自宅で使用するために、店舗用から一般ユーザー用にカードの差し替えが行われるような場合には、顧客等による画質変更操作を伴わずに適切な出力態様で画像を出力することができる。
【００３６】
ステップＳ１０における操作内容の受信待ちにおいて、マイクロコンピュータ１は、顧客等による操作部２の操作が行われることにより、その操作内容を操作部２から受信する。
【００３７】
そして、操作内容が電源ＯＦＦであるか否かを判定し（ステップＳ１１）、操作内容が電源ＯＦＦである場合は（ステップＳ１１：ＹＥＳ）、プラズマディスプレイの動作を停止し、電源ＯＦＦでない場合は（ステップＳ１１：ＮＯ）、ステップＳ１２に移行する。
【００３８】
ステップＳ１２において、マイクロコンピュータ１は、操作内容が画質調整パラメータ変更であるか否かを判定し、画質調整パラメータ変更である場合は（ステップＳ１２：ＹＥＳ）、ステップ１３に移行し、画質調整パラメータ変更でない場合は（ステップＳ１２：ＮＯ）、ステップＳ１０に移行する。
【００３９】
ステップ１３において、マイクロコンピュータ１は、フラッシュメモリ４に記憶している画質調整パラメータの書き換えを行う。
【００４０】
そして、変更後の画質調整パラメータをクロマ復調部７、マトリクス回路８及び画質調整部９に送出すると（ステップＳ１４）、クロマ復調部７、マトリクス回路８及び画質調整部９は変更後の画質調整パラメータに従って夫々信号処理を行い、最終的に画質調整部９から出力された信号に従ってＰＤＰ１０が画像を表示出力する（ステップＳ１５）。
【００４１】
次いで、フラッシュメモリ４に記憶されている動作モードが店頭モードであるか否かを判定し（ステップＳ１６）、店頭モードである場合は（ステップＳ１６：ＹＥＳ）、ステップＳ１７に移行し、店頭モードでない場合は（ステップＳ１６：ＮＯ）、ステップＳ１０に移行する。
【００４２】
ステップＳ１７において、マイクロコンピュータ１は、画質の復帰待ち時間として６０００００ミリ秒（１０分×６０秒×１０００ミリ）をマイクロコンピュータ１のＲＡＭに設定する。そして、後述するタイマ割り込みによって画質の復帰処理を行うための設定を行う（ステップＳ１８）。具体的には、タイマ割り込みルーチンのアドレス情報がマイクロコンピュータ１のＲＡＭに記憶されており、この情報を復帰処理を行うルーチンの先頭アドレスに書き換える。
【００４３】
その後、マイクロコンピュータ１はステップ１０に移行し、操作部２から操作内容の受信待ちを行う。
【００４４】
次に、変更された画質を復帰する場合の動作を図３を用いて説明する。なお、図３は、変更された画質を復帰する場合における、マイクロコンピュータ１の処理の一例を示すフローチャートである。
【００４５】
マイクロコンピュータ１内部のタイマ回路は、１０ミリ秒毎にタイマ割り込み信号を出力している。このタイマ割り込み信号をＣＰＵが受信すると、マイクロコンピュータ１は、現在行っている処理を一時中断し、タイマ割り込みルーチンのアドレス情報に基づいて、タイマ割り込み時に必要な処理を行う。ここで、動作モードが店頭モードであるときに、画質が変更された場合、ステップＳ１８における書き換えにより、タイマ割り込みルーチンのアドレス情報は復帰処理を行うルーチンの先頭アドレスを示しているので、マイクロコンピュータ１は、以下に説明する復帰処理を行う。
【００４６】
マイクロコンピュータ１は、図３に示すように、上記画質変更時に設定された復帰待ち時間を１０ミリ秒分減算して書き換える（ステップＳ５１）。そして、減算した復帰待ち時間が０であるか否かを判定し（ステップＳ５２）、０である場合は（ステップＳ５２：ＹＥＳ）、ステップＳ５３に移行し、０でない場合は（ステップＳ５３：ＮＯ）、割り込み処理を終了する。
【００４７】
ステップＳ５３において、マイクロコンピュータ１は、店頭モードに対応する特定設定情報であるダイナミックモードの画質調整パラメータをＥ２ＰＲＯＭ３から読み出し、フラッシュメモリ４に記憶されている画質調整パラメータを、読み出した元のダイナミックモードの画質調整パラメータに書き換えて戻す。
【００４８】
次いで、変更後の画質調整パラメータをクロマ復調部７、マトリクス回路８及び画質調整部９に送出すると（ステップＳ５４）、クロマ復調部７、マトリクス回路８及び画質調整部９は元の画質調整パラメータに従って夫々信号処理を行い、最終的に画質調整部９から出力された信号に従ってＰＤＰ１０が画像を表示出力する（ステップＳ５５）。
【００４９】
そして、タイマ割り込みルーチンのアドレス情報を元の情報に戻してタイマ割り込みの解除を行い（ステップＳ５６）、割り込み処理を終了する。
【００５０】
このように、店頭モードにおいて画質が変更された場合には、変更が行われてから１０分経過後に、ＰＤＰ１０が表示出力する画像の画質がダイナミックモードに復帰する。
【００５１】
以上説明したように、本実施形態のプラズマディスプレイによれば、出力態様が変更されたことを検知して、出力態様が変更された場合、出力態様を予め設定された特定の出力態様に復帰させるので、顧客等による出力態様の変更を可能としつつも、出力態様が変更された状態で放置されることを防止することができる。
【００５２】
また、出力態様が変更された時から一定時間経過後に出力態様の復帰を行うので、顧客等が出力態様を変更した後に、変更後の出力態様を確認できる一定時間が確保されるため、顧客等は情報出力装置の性能等を十分に確認することができる。
【００５３】
また、出力態様を復帰させる店頭モードと、復帰させないユーザーモードとを識別して、店頭モードの場合にのみ出力態様の復帰を行うので、例えば、販売店で展示している場合は店頭モードに設定し、購入後はユーザーモードに設定することにより、顧客等は出力態様を自由に変更することができ、かつ、顧客等の意図に反する出力態様に強制的に復帰することを防止することができる。
【００５４】
また、Ｂ−ＣＡＳカードに記録されている識別情報に基づいて動作モードを識別するので、当該カードをチューナーに装着しなければ放送内容を視聴できないようなデジタルチューナー内蔵テレビ等においては、当該カードに記録されている識別番号等によってカード所有者を特定することができるので、装着されたカードによって、所有者が販売店であるのか、又は一般ユーザー等であるのかを確実に判断することができ、どの動作モードで動作するべきかを確実に判断することができる。
【００５５】
更に、Ｂ−ＣＡＳカードは既に発行されており、運用、管理等がなされているので、特別な記録媒体を新たに用意する必要がない。また、このカードに対応したチューナー、テレビ等の機器は一般に開発されているので、識別情報を認識するための手段を別途開発する必要もない。従って、本願に係る情報出力装置の開発、製造等を容易にすることが可能となる。
【００５６】
なお、上記実施形態においては、本願に係る出力態様を定める情報を、出力される画像の画質に関するもののみに適用しているが、これに限られるものではなく、出力される音声の音量、音質、ステレオ／モノラル、左右バランス等、その他出力されるチャンネルや放送局等の情報に適用してもよい。
【００５７】
また、上記実施形態においては、チューナー部５をプラズマディスプレイに内蔵しているが、これに限られるものではなく、チューナーを別装置とし、チューナーとプラズマディスプレイをケーブル等により接続して、チューナーから識別番号を受信するようにしてもよい。
【００５８】
また、上記実施形態においては、カードに埋め込まれたＩＣチップに記録されている識別番号に基づいて動作モードを識別しているが、これに限られるものではなく、例えば、磁気ストライプに記録された情報に基づいて識別してもよいし、カード表面に記録された文字、バーコード等の模様や色彩等に基づいて識別してもよい。
【００５９】
また、上記実施形態においては、本願に係る記録媒体を、識別番号が記録されたカードに適用しているが、これに限られるものではなく、例えば、ＩＣメモリ等の記録媒体に適用してもよい。
【００６０】
また、上記実施形態においては、カードに記録されている識別番号を認識し、この識別番号に基づいて動作モードを識別しているが、これに限られるものではなく、例えば、所有者が操作部２の動作モード変更操作等をすることにより選択した動作モードを識別するようにしてもよい。
【００６１】
また、上記実施形態においては、本願に係る情報出力装置をプラズマディスプレイに適用しているが、これに限られるものではなく、例えば、液晶ディスプレイ、ＣＲＴ（Cathode Ray Tube）ディスプレイ、有機ＥＬ（Electronic Luminescent）ディスプレイ、リアプロジェクションテレビ等の表示装置に適用してもよい。また、本願に係る情報出力装置を、例えば、ＤＶＤプレーヤー、ビデオレコーダ等の画像出力装置又は画像音声出力装置に適用してもよいし、ラジオ、オーディオアンプ等の音声出力装置に適用してもよいし、その他の情報出力装置に適用してもよい。
【００６２】
また、上記実施形態においては、出力態様が変更されてから一定時間経過後に出力態様を復帰することとしているが、これに限られるものではなく、例えば、一定時間毎に現在の設定情報と特定設定情報を比較し、両者が異なる場合に設定情報が変更されたことを検知し、復帰動作を行うようにしてもよいし、電源投入等の所有者や顧客等による操作に基づき復帰動作を行わせるようにしてもよい。
【図面の簡単な説明】
【００６３】
【図１】本実施形態に係るデジタルチューナー内蔵プラズマディスプレイテレビの概要構成の一例を示すブロック図である。
【図２】電源が投入されてから画質が変更されるまでにおける、マイクロコンピュータ１の処理の一例を示すフローチャートである。
【図３】変更された画質を復帰する場合における、マイクロコンピュータ１の処理の一例を示すフローチャートである。
【符号の説明】
【００６４】
１    マイクロコンピュータ
２    操作部
３    Ｅ２ＰＲＯＭ
４    フラッシュメモリ
５    チューナー部
６    Ｙ／Ｃ分離部
７    クロマ復調部
８    マトリクス回路
９    画質調整部
１０    ＰＤＰ
１００    Ｂ−ＣＡＳカード
【図１】
2006238255.tif 000003
【図２】
2006238255.tif 000004
【図３】
2006238255.tif 000005